(57)【要約】【課題】複数の可動役物を設けているにも関わらず、この複数の可動役物を可動させるアクチュエータの数を減らしても、この複数の可動役物の動作パターンを大きく減らすことがない遊技機の演出装置を提供すること。【解決手段】アクチュエータ５０の数と電磁クラッチ６０、７０の数とは、これらの数の合計が可動役物４０、４２、４４の数となるように、少なくとも１個以上それぞれ備えられている。複数の可動役物４０、４２、４４のうち、アクチュエータ５０の数に一致する数の任意の可動役物４２は、アクチュエータ５０に対して機械的に連結されている。残りの可動役物４０、４４は、アクチュエータ５０に対して電磁クラッチ６０、７０を介して機械的に連結されている。【選択図】図９
2017158682.tif 000002
【特許請求の範囲】
【請求項１】
単数または複数のアクチュエータと、
単数または複数のアクチュエータに対して機械的に連結された単数または複数の電磁クラッチと、
単数または複数のアクチュエータの駆動力によって駆動する複数の可動役物と、を備えた遊技機の演出装置であって、
アクチュエータの数と電磁クラッチの数とは、これらの数の合計が可動役物の数となるように、少なくとも１個以上それぞれ備えられており、
複数の可動役物のうち、
アクチュエータの数に一致する数の任意の可動役物は、アクチュエータに対して機械的に連結され、
残りの可動役物は、アクチュエータに対して電磁クラッチを介して機械的に連結されている遊技機の演出装置。
【発明の詳細な説明】
【技術分野】
【０００１】
本発明は、遊技機の演出装置に関し、詳しくは、単数または複数のアクチュエータと、単数または複数のアクチュエータに対して機械的に連結された単数または複数の電磁クラッチと、単数または複数のアクチュエータの駆動力によって駆動する複数の可動役物とを備えた遊技機の演出装置に関する。
【背景技術】
【０００２】
従来、パチンコ機等の遊技機の演出装置において、その遊技盤に各種の工夫が施されたものが既に知られている。このような演出装置において、各種の工夫の一つとして、図２４〜２５に示すように、演出装置７０４ｂに可動役物（可動する役物）７４０、７４２、７４４を備えた役物ユニット７２０が組み付けられたものも考えられている。これにより、大当たりの抽選の結果を表示するデジタル表示と可動役物７４０、７４２、７４４の動きとを絡めることができるため、遊技の演出効果を高めることができる。したがって、遊技の興趣性を高めることができる。
【先行技術文献】
【特許文献】
【０００３】
なお、この出願の発明に関連する先行技術文献情報としては、例えば、特許文献１が知られている。
【特許文献１】特開２０１２−１４３２６７号公報
【発明の概要】
【発明が解決しようとする課題】
【０００４】
しかしながら、上述した技術では、例えば、可動役物７４０、７４２、７４４が複数（この例では、３個）設けられている。このように複数設けられていると、これら複数の可動役物７４０、７４２、７４４の動作パターンを増やすために、この可動役物７４０、７４２、７４４ごとにアクチュエータ（「第１のモータ７５０、第２のモータ７５０、第３のモータ７５０」と記す）７５０を設ける必要があった。すなわち、例えば、可動役物７４０、７４２、７４４が３個（「第１の可動役物７４０、第２の可動役物７４２、第３の可動役物７４４」と記す）設けられている場合、これらモータ７５０も３個設ける必要があった（図２６参照）。すなわち、可動役物７４０、７４２、７４４の数が３の場合、モータ７５０の数も３となっていた。そのため、可動役物７４０、７４２、７４４の個数が多くなると、必要となるモータ７５０の個数も多くなってしまうといった問題が発生していた。
【０００５】
なお、上述したように、モータ７５０の数が３であり、可動役物７４０、７４２、７４４の数も３の場合、図２７に示すように、可動役物７４０、７４２、７４４が動作可能な動作パターンは８パターンとなっている。この８パターンを個別に説明する。まず、１パターン目として、第１のモータ７５０を停止させ、第２のモータ７５０を停止させ、第３のモータ７５０を停止させると、第１の可動役物７４０が停止し、第２の可動役物７４２が停止し、第３の可動役物７４４が停止する動作パターンである。この動作パターンを説明の便宜上、動作パターンＡと記すこととする。次に、２パターン目として、第１のモータ７５０を駆動させ、第２のモータ７５０を駆動させ、第３のモータ７５０を駆動させると、第１の可動役物７４０が左回転し、第２の可動役物７４２が左回転し、第３の可動役物７４４が左回転する動作パターンである。この動作パターンを説明の便宜上、動作パターンＢと記すこととする。
【０００６】
次に、３パターン目として、第１のモータ７５０を駆動させ、第２のモータ７５０を駆動させ、第３のモータ７５０を停止させると、第１の可動役物７４０が左回転し、第２の可動役物７４２が左回転し、第３の可動役物７４４が停止する動作パターンである。この動作パターンを説明の便宜上、動作パターンＣと記すこととする。次に、４パターン目として、第１のモータ７５０を駆動させ、第２のモータ７５０を停止させ、第３のモータ７５０を駆動させると、第１の可動役物７４０が左回転し、第２の可動役物７４２が停止し、第３の可動役物７４４が停止する動作パターンである。この動作パターンを説明の便宜上、動作パターンＤと記すこととする。次に、５パターン目として、第１のモータ７５０を停止させ、第２のモータ７５０を駆動させ、第３のモータ７５０を駆動させると、第１の可動役物７４０が停止し、第２の可動役物７４２が左回転し、第３の可動役物７４４が左回転する動作パターンである。この動作パターンを説明の便宜上、動作パターンＥと記すこととする。
【０００７】
次に、６パターン目として、第１のモータ７５０を駆動させ、第２のモータ７５０を停止させ、第３のモータ７５０を停止させると、第１の可動役物７４０が左回転し、第２の可動役物７４２が停止し、第３の可動役物７４４が停止する動作パターンである。この動作パターンを説明の便宜上、動作パターンＦと記すこととする。次に、７パターン目として、第１のモータ７５０を停止させ、第２のモータ７５０を駆動させ、第３のモータ７５０を停止させると、第１の可動役物７４０が停止し、第２の可動役物７４２が左回転し、第３の可動役物７４４が停止する動作パターンである。この動作パターンを説明の便宜上、動作パターンＧと記すこととする。最後に、８パターン目として、第１のモータ７５０を停止させ、第２のモータ７５０を停止させ、第３のモータ７５０を駆動させると、第１の可動役物７４０が停止し、第２の可動役物７４２が停止し、第３の可動役物７４４が左回転する動作パターンである。この動作パターンを説明の便宜上、動作パターンＨと記すこととする。
【０００８】
本発明は、このような課題を解決しようとするもので、その目的は、複数の可動役物を設けているにも関わらず、この複数の可動役物を可動させるアクチュエータの数を減らしても、この複数の可動役物の動作パターンを大きく減らすことがない遊技機の演出装置を提供することである。
【課題を解決するための手段】
【０００９】
本発明は、上記の目的を達成するためのものであって、以下のように構成されている。
請求項１に記載の発明は、単数または複数のアクチュエータと、単数または複数のアクチュエータに対して機械的に連結された単数または複数の電磁クラッチと、単数または複数のアクチュエータの駆動力によって駆動する複数の可動役物と、を備えた遊技機の演出装置である。アクチュエータの数と電磁クラッチの数とは、これらの数の合計が可動役物の数となるように、少なくとも１個以上それぞれ備えられている。複数の可動役物のうち、アクチュエータの数に一致する数の任意の可動役物は、アクチュエータに対して機械的に連結されている。残りの可動役物は、アクチュエータに対して電磁クラッチを介して機械的に連結されている。
【００１０】
請求項１の発明によれば、例えば、演出装置には、１個のアクチュエータと、２個の電磁クラッチと、３個の可動役物が備えられている。そのため、可動役物が動作可能な動作パターンは５パターンとなっている。したがって、従来技術と比較すると、３個の可動役物を設けているにも関わらず、この３個の可動役物を可動させるアクチュエータの数を３個から１個に減らしても、この３個の可動役物の動作パターン８から５に抑えることができる。結果として、動作パターンの減少を３で抑えることができるため、この動作パターンを大きく減らすことがない。
【図面の簡単な説明】
【００１１】
【図１】実施例１に係るパチンコ機の正面図である。
【図２】図１のパチンコ機の斜視図である。
【図３】図２の分解図である。
【図４】図３の演出装置の拡大図である。
【図５】図４の演出装置の分解図である。
【図６】図５の役物ユニットの拡大図である。
【図７】図６の役物ユニットの分解図である。
【図８】図７を反対側から見た図である。
【図９】図６の役物ユニットの模式図である。
【図１０】図６の役物ユニットの電気的な構成を説明するブロック図である。
【図１１】図６の役物ユニットの動作パターンの説明図である。
【図１２】実施例２に係る役物ユニットの模式図である。
【図１３】図１２の役物ユニットの動作パターンの説明図である。
【図１４】実施例３に係る役物ユニットの模式図である。
【図１５】図１４の役物ユニットの動作パターンの説明図である。
【図１６】実施例４に係る役物ユニットの模式図である。
【図１７】図１６の役物ユニットの動作パターンの説明図である。
【図１８】実施例５に係る役物ユニットの模式図である。
【図１９】図１８の役物ユニットの動作パターンの説明図である。
【図２０】実施例６に係る役物ユニットの模式図である。
【図２１】図２０の役物ユニットの動作パターンの説明図である。
【図２２】実施例７に係る役物ユニットの模式図である。
【図２３】図２２の役物ユニットの動作パターンの説明図である。
【図２４】従来技術に係るパチンコ機の斜視図である。
【図２５】図２４の演出装置の拡大図である。
【図２６】図２５の役物ユニットの模式図である。
【図２７】図２６の役物ユニットの動作パターンの説明図である。
【発明を実施するための形態】
【００１２】
以下、本発明を実施するための形態を、図面を用いて説明する。
（実施例１）
まず、図１〜１１を参照して、本発明の実施例１を説明する。はじめに、実施例１に係る遊技機１の全体構成を説明する。なお、遊技機１の例としてパチンコ機１を説明することとする。また、この実施例１は、モータ５０の数が１であり、電磁クラッチ（第１の電磁クラッチ６０、第２の電磁クラッチ７０）６０、７０の数が２であり、可動役物（第１の可動役物４０、第２の可動役物４２、第３の可動役物４４）４０、４２、４４の数が３である形態である。そして、第２の可動役物４２がモータ５０に対して機械的に連結され、残りの第１の可動役物４０と第３の可動役物４４がモータ５０に対して第１の電磁クラッチ６０と第２の電磁クラッチ７０を介して機械的に連結されている形態である。
【００１３】
このパチンコ機１は、図１〜３に示すように、主として、パチンコホールにおける遊技島のベース（いずれも図示しない）に組み付けられる外枠２と、この外枠２に対して開閉可能にヒンジ結合される内枠３と、この内枠３に対して組み付けられる遊技盤ユニット４と、この内枠３に対して開閉可能にヒンジ結合されるガラス枠５とから構成されている。
【００１４】
この遊技盤ユニット４は、遊技盤４ａと、この遊技盤４ａの裏面に組み付けられる演出装置４ｂとから構成されている。この演出装置４ｂは、ケース１０と、このケース１０の凹面１２に組み付けられた役物ユニット２０とから構成されている（図４〜５参照）。以下に、これらケース１０と役物ユニット２０とを個別に説明していく。
【００１５】
まず、図５を参照して、ケース１０を説明する。このケース１０の凹面１２には、その板厚を貫通するように矩形の開口１４が形成されている。また、この凹面１２の裏面側には、開口１４を塞ぐように液晶モニタ１６が組み付けられている。この液晶モニタ１６により、例えば、大当たりの抽選結果の図柄を表示できる。ケース１０は、このように構成されている。
【００１６】
次に、図５〜９を参照して、役物ユニット２０の機械的な構成を説明する。この役物ユニット２０は、主として、ケース１０の凹面１２にブラケット２２を介して組み付けられた役物ベース３０と、この役物ベース３０に対して組み付けられた３個の可動役物４０、４２、４４（第１の可動役物４０、第２の可動役物４２、第３の可動役物４４）とから構成されている（図５〜６参照）。以下に、これら役物ベース３０と３個の可動役物４０、４２、４４とを個別に説明していく。
【００１７】
まず、役物ベース３０から説明する。この役物ベース３０は、横長の矩形に形成されたベース部材から構成されている。この役物ベース３０には、その板厚を貫通する３個の貫通孔３２、３４、３６（第１の貫通孔３２、第２の貫通孔３４、第３の貫通孔３６）が形成されている。この役物ベース３０の裏面３０ａにおける第２の貫通孔３４の近傍には、２本のビスＢ１を介してモータ５０が組み付けられている。
【００１８】
このモータ５０の駆動軸（図示しない）には、第１のメインギヤ５２が固着されている。また、この役物ベース３０の裏面３０ａにおける第２の貫通孔３４の近傍には、第１のメインギヤ５２に噛み合う第２のメインギヤ５４が枢着されている。また、この役物ベース３０の裏面３０ａにおける第１の貫通孔３２の近傍には、第１の電磁クラッチ６０が組み付けられている。
【００１９】
この第１の電磁クラッチ６０は、外周にギヤ６０ａ１を有する主部６０ａと、この主部６０ａの回転が伝達または遮断される従部６０ｂと、これら主部６０ａと従部６０ｂとをカバーするケース６０ｃとから構成されている。この第１の電磁クラッチ６０は、第１の貫通孔３２に対して軸芯が一致するように、そのケース６０ｃがサブカバー６２を介して組み付けられている。
【００２０】
また、この役物ベース３０の表面３０ｂには、第２のメインギヤ５４と第１の電磁クラッチ６０の主部６０ａのギヤ６０ａ１に噛み合う第１のサブギヤ群６４が３本のビス６４ａを介して枢着されている。この第１のサブギヤ群６４は、図７〜８から明らかなように、複数（この実施例１では、３個）の連動する歯車から構成されている。
【００２１】
また、この役物ベース３０の裏面３０ａにおける第３の貫通孔３６の近傍には、第２の電磁クラッチ７０が組み付けられている。この第２の電磁クラッチ７０も、上述した第１の電磁クラッチ６０と同様に、外周にギヤ７０ａ１を有する主部７０ａと、この主部７０ａの回転が伝達または遮断される従部７０ｂと、これら主部７０ａと従部７０ｂとをカバーするケース７０ｃとから構成されている。この第２の電磁クラッチ７０は、第３の貫通孔３６に対して軸芯が一致するように、そのケース７０ｃがサブカバー７２を介して組み付けられている。
【００２２】
また、この役物ベース３０の表面３０ｂには、第２のメインギヤ５４と第２の電磁クラッチ７０の主部７０ａのギヤ７０ａ１に噛み合う第２のサブギヤ群７４が３本のビス７４ａを介して枢着されている。この第２のサブギヤ群７４は、図７〜８から明らかなように、複数（この実施例１では、３個）の連動する歯車から構成されている。役物ベース３０は、このように構成されている。
【００２３】
次に、３個の可動役物４０、４２、４４（第１の可動役物４０、第２の可動役物４２、第３の可動役物４４）を説明する。まず、第１の可動役物４０から説明する。この第１の可動役物４０は、円板状の役物本体４０ａと、この裏面から突出するピン４０ｂとから一体を成すように構成されている。この第１の可動役物４０は、そのピン４０ｂが役物ベース３０の第１の貫通孔３２と第１の電磁クラッチ６０の主部６０ａの貫通孔６０ａ２とに順に貫通した状態で従部６０ｂに固着されている。これにより、第１の可動役物４０は、その役物本体４０ａが役物ベース３０の表面３０ｂにおける第１の貫通孔３２の近傍に位置するように、役物ベース３０の表面に回転可能に組み付けられることとなる。
【００２４】
次に、第２の可動役物４２を説明する。この第２の可動役物４２も、上述した第１の可動役物４０と同様に、円板状の役物本体４２ａと、この裏面から突出するピン４２ｂとから一体を成すように構成されている。この第２の可動役物４２も、そのピン４２ｂが役物ベース３０の第２の貫通孔３４に貫通した状態でビスＢ２を介して第２のメインギヤ５４に固着されている。これにより、第２の可動役物４２も、上述した第１の可動役物４０と同様に、その役物本体４２ａが役物ベース３０の表面３０ｂにおける第２の貫通孔３４の近傍に位置するように、役物ベース３０の表面に回転可能に組み付けられることとなる。
【００２５】
最後に、第３の可動役物４４を説明する。この第３の可動役物４４も、上述した第１の可動役物４０と第２の可動役物４２と同様に、円板状の役物本体４４ａと、この裏面から突出するピン４４ｂとから一体を成すように構成されている。この第３の可動役物４４は、そのピン４４ｂが役物ベース３０の第３の貫通孔３６と第２の電磁クラッチ７０の主部７０ａの貫通孔７０ａ２とに順に貫通した状態で従部７０ｂに固着されている。これにより、第３の可動役物４４は、その役物本体４４ａが役物ベース３０の表面３０ｂにおける第３の貫通孔３６の近傍に位置するように、役物ベース３０の表面に回転可能に組み付けられることとなる。３個の可動役物４０、４２、４４は、このように構成されている。
【００２６】
なお、図７〜８から明らかなように、このように３個の可動役物４０、４２、４４が組み付けられた役物ベース３０の表面３０ｂには、６本のビス８２を介して意匠部材を成すメインカバー８０が組み付けられている。これら役物ベース３０と３個の可動役物４０、４２、４４とから役物ユニット２０は構成されている。
【００２７】
次に、図１０を参照して、役物ユニット２０の電気的な構成を説明する。モータ５０は、演出装置４ｂのケース１０に設けられている制御装置１０ａに対して電気的に接続されている。これにより、制御装置１０ａに内蔵のプログラムに基づいてモータ５０を駆動（ＯＮ）または停止（ＯＦＦ）できる。
【００２８】
また、第１の電磁クラッチ６０も、上述したモータ５０と同様に、演出装置４ｂのケース１０に設けられている制御装置１０ａに対して電気的に接続されている。これにより、制御装置１０ａに内蔵のプログラムに基づいて第１の電磁クラッチ６０に対して通電（ＯＮ）または遮断（ＯＦＦ）できる。したがって、第１の電磁クラッチ６０の主部６０ａの回転を従部６０ｂに伝達または遮断できる。
【００２９】
また、第２の電磁クラッチ７０も、上述したモータ５０と第１の電磁クラッチ６０と同様に、演出装置４ｂのケース１０に設けられている制御装置１０ａに対して電気的に接続されている。これにより、制御装置１０ａに内蔵のプログラムに基づいて第２の電磁クラッチ７０に対して通電（ＯＮ）または遮断（ＯＦＦ）できる。したがって、第２の電磁クラッチ７０の主部７０ａの回転を従部７０ｂに伝達または遮断できる。
【００３０】
続いて、上述した役物ユニット２０の動作を説明する。上述したように、モータ５０の数が１であり、電磁クラッチ６０、７０の数が２であり、可動役物４０、４２、４４の数が３であり、第２の可動役物４２がモータ５０に対して機械的に連結され、残りの第１の可動役物４０と第３の可動役物４４がモータ５０に対して第１の電磁クラッチ６０と第２の電磁クラッチ７０を介して機械的に連結されている場合、図１１に示すように、可動役物４０、４２、４４が動作可能な動作パターンは５パターンとなっている。
【００３１】
この５パターンを個別に説明する。まず、１パターン目として、第１の電磁クラッチ６０を通電または遮断させ、モータ５０を停止させ、第２の電磁クラッチ７０を通電または遮断させると、第１の可動役物４０が停止し、第２の可動役物４２が停止し、第３の可動役物４４が停止する動作パターンである。すなわち、動作パターンＡである。
【００３２】
次に、２パターン目として、第１の電磁クラッチ６０を通電させ、モータ５０を駆動させ、第２の電磁クラッチ７０を通電させると、第１の可動役物４０が左回転し、第２の可動役物４２が左回転し、第３の可動役物４４が左回転する動作パターンである。すなわち、動作パターンＢである。次に、３パターン目として、第１の電磁クラッチ６０を通電させ、モータ５０を駆動させ、第２の電磁クラッチ７０を遮断させると、第１の可動役物４０が左回転し、第２の可動役物４２が左回転し、第３の可動役物４４が停止する動作パターンである。すなわち、動作パターンＣである。
【００３３】
次に、４パターン目として、第１の電磁クラッチ６０を遮断させ、モータ５０を駆動させ、第２の電磁クラッチ７０を通電させると、第１の可動役物４０が停止し、第２の可動役物４２が左回転し、第３の可動役物４４が左回転する動作パターンである。すなわち、動作パターンＥである。最後に、５パターン目として、第１の電磁クラッチ６０を遮断させ、モータ５０を駆動させ、第２の電磁クラッチ７０を遮断させると、第１の可動役物４０が停止し、第２の可動役物４２が左回転し、第３の可動役物４４が停止する動作パターンである。すなわち、動作パターンＧである。
【００３４】
本発明の実施例１に係る役物ユニット２０は、上述したように構成されている。この構成によれば、役物ユニット２０には、モータ５０の数と電磁クラッチ６０、７０の数の合計が可動役物４０、４２、４４の数となるように、少なくとも１個以上それぞれ備えられている。具体的には、この役物ユニット２０には、１個のモータ５０と、２個の電磁クラッチ６０、７０と、３個の可動役物４０、４２、４４が備えられている。そのため、可動役物４０、４２、４４が動作可能な動作パターンは５パターンとなっている。したがって、従来技術と比較すると、３個の可動役物４０、４２、４４を設けているにも関わらず、この３個の可動役物４０、４２、４４を可動させるモータ５０の数を３個から１個に減らしても、この３個の可動役物４０、４２、４４の動作パターン８から５に抑えることができる。結果として、動作パターンの減少を３で抑えることができるため、この動作パターンを大きく減らすことがない。
【００３５】
（実施例２）
次に、図１２〜１３を参照して、本発明の実施例２を説明する。この実施例２の役物ユニット１２０も、実施例１の役物ユニット２０と同様に、モータ５０の数が１であり、電磁クラッチ（第１の電磁クラッチ６０、第２の電磁クラッチ７０）６０、７０の数が２であり、可動役物（第１の可動役物４０、第２の可動役物４２、第３の可動役物４４）４０、４２、４４の数が３である形態である（図１２参照）。
【００３６】
ただし、この実施例２の役物ユニット１２０では、実施例１の役物ユニット２０と異なり、第１の可動役物４０がモータ５０に対して機械的に連結され、残りの第２の可動役物４２と第３の可動役物４４がモータ５０に対して第１の電磁クラッチ６０と第２の電磁クラッチ７０を介して機械的に連結されている形態である。なお、以下の説明にあたって、実施例１と同一または均等な構成の部材には、図面において同一の符号を付すことで重複する説明は省略することとする。このことは、後述する全ての実施例においても同様である。
【００３７】
この実施例２の場合、図１３に示すように、可動役物４０、４２、４４が動作可能な動作パターンは５パターンとなっている。この５パターンを個別に説明する。まず、１パターン目として、モータ５０を停止させ、第１の電磁クラッチ６０を通電または遮断させ、第２の電磁クラッチ７０を通電または遮断させると、第１の可動役物４０が停止し、第２の可動役物４２が停止し、第３の可動役物４４が停止する動作パターンである。すなわち、動作パターンＡである。
【００３８】
次に、２パターン目として、モータ５０を駆動させ、第１の電磁クラッチ６０を通電させ、第２の電磁クラッチ７０を通電させると、第１の可動役物４０が左回転し、第２の可動役物４２が左回転し、第３の可動役物４４が左回転する動作パターンである。すなわち、動作パターンＢである。次に、３パターン目として、モータ５０を駆動させ、第１の電磁クラッチ６０を通電させ、第２の電磁クラッチ７０を遮断させると、第１の可動役物４０が左回転し、第２の可動役物４２が左回転し、第３の可動役物４４が停止する動作パターンである。すなわち、動作パターンＣである。
【００３９】
次に、４パターン目として、モータ５０を駆動させ、第１の電磁クラッチ６０を遮断させ、第２の電磁クラッチ７０を通電させると、第１の可動役物４０が左回転し、第２の可動役物４２が停止し、第３の可動役物４４が左回転する動作パターンである。すなわち、動作パターンＤである。最後に、５パターン目として、モータ５０を駆動させ、第１の電磁クラッチ６０を遮断させ、第２の電磁クラッチ７０を遮断させると、第１の可動役物４０が左回転し、第２の可動役物４２が停止し、第３の可動役物４４が停止する動作パターンである。すなわち、動作パターンＦである。
【００４０】
本発明の実施例２に係る役物ユニット１２０は、上述したように構成されている。この構成によれば、役物ユニット１２０には、モータ５０の数と電磁クラッチ６０、７０の数の合計が可動役物４０、４２、４４の数となるように、少なくとも１個以上それぞれ備えられている。具体的には、この役物ユニット１２０には、１個のモータ５０と、２個の電磁クラッチ６０、７０と、３個の可動役物４０、４２、４４が備えられている。そのため、可動役物４０、４２、４４が動作可能な動作パターンは５パターンとなっている。したがって、実施例１と同様の作用効果を得ることができる。
【００４１】
（実施例３）
次に、図１４〜１５を参照して、本発明の実施例３を説明する。この実施例３の役物ユニット２２０も、実施例１の役物ユニット２０と同様に、モータ５０の数が１であり、電磁クラッチ（第１の電磁クラッチ６０、第２の電磁クラッチ７０）６０、７０の数が２であり、可動役物（第１の可動役物４０、第２の可動役物４２、第３の可動役物４４）４０、４２、４４の数が３である形態である（図１４参照）。
【００４２】
ただし、この実施例３の役物ユニット２２０では、実施例１の役物ユニット２０と異なり、第３の可動役物４４がモータ５０に対して機械的に連結され、残りの第１の可動役物４０と第２の可動役物４２がモータ５０に対して第１の電磁クラッチ６０と第２の電磁クラッチ７０を介して機械的に連結されている形態である。
【００４３】
この実施例３の場合、図１５に示すように、可動役物４０、４２、４４が動作可能な動作パターンは５パターンとなっている。この５パターンを個別に説明する。まず、１パターン目として、第１の電磁クラッチ６０を通電または遮断させ、第２の電磁クラッチ７０を通電または遮断させ、モータ５０を停止させると、第１の可動役物４０が停止し、第２の可動役物４２が停止し、第３の可動役物４４が停止する動作パターンである。すなわち、動作パターンＡである。
【００４４】
次に、２パターン目として、第１の電磁クラッチ６０を通電させ、第２の電磁クラッチ７０を通電させ、モータ５０を駆動させると、第１の可動役物４０が左回転し、第２の可動役物４２が左回転し、第３の可動役物４４が左回転する動作パターンである。すなわち、動作パターンＢである。次に、３パターン目として、第１の電磁クラッチ６０を通電させ、第２の電磁クラッチ７０を遮断させ、モータ５０を駆動させると、第１の可動役物４０が左回転し、第２の可動役物４２が停止し、第３の可動役物４４が左回転する動作パターンである。すなわち、動作パターンＤである。
【００４５】
次に、４パターン目として、第１の電磁クラッチ６０を遮断させ、第２の電磁クラッチ７０を通電させ、モータ５０を駆動させると、第１の可動役物４０が停止し、第２の可動役物４２が左回転し、第３の可動役物４４が左回転する動作パターンである。すなわち、動作パターンＥである。最後に、５パターン目として、第１の電磁クラッチ６０を遮断させ、第２の電磁クラッチ７０を遮断させ、モータ５０を駆動させると、第１の可動役物４０が停止し、第２の可動役物４２が停止し、第３の可動役物４４が左回転する動作パターンである。すなわち、動作パターンＨである。
【００４６】
本発明の実施例３に係る役物ユニット２２０は、上述したように構成されている。この構成によれば、役物ユニット２２０には、モータ５０の数と電磁クラッチ６０、７０の数の合計が可動役物４０、４２、４４の数となるように、少なくとも１個以上それぞれ備えられている。具体的には、この役物ユニット２２０には、１個のモータ５０と、２個の電磁クラッチ６０、７０と、３個の可動役物４０、４２、４４が備えられている。そのため、可動役物４０、４２、４４が動作可能な動作パターンは５パターンとなっている。したがって、実施例１と同様の作用効果を得ることができる。
【００４７】
なお、これら実施例１〜３を組み合わせれば、可動役物４０、４２、４４の動作パターンがＡ〜Ｈの８パターン可能となる。そのため、可動役物４０、４２、４４の動作パターンの数を従来技術のそれと同じにできる。
【００４８】
（実施例４）
次に、図１６〜１７を参照して、本発明の実施例４を説明する。この実施例４の役物ユニット３２０も、実施例１の役物ユニット２０とは異なり、モータ５０（第１のモータ５０、第２のモータ５０）の数が２であり、電磁クラッチ６０の数が１であり、可動役物（第１の可動役物４０、第２の可動役物４２、第３の可動役物４４）４０、４２、４４の数が３である形態である（図１６参照）。そして、この実施例４の役物ユニット３２０では、実施例１の役物ユニット２０と異なり、第１の可動役物４０と第２の可動役物４２が第１のモータ５０と第２のモータ５０に対してそれぞれ機械的に連結され、残りの第３の可動役物４４が第２のモータ５０に対して電磁クラッチ６０を介して機械的に連結されている形態である。
【００４９】
この実施例４の場合、図１７に示すように、可動役物４０、４２、４４が動作可能な動作パターンは６パターンとなっている。この６パターンを個別に説明する。まず、１パターン目として、第１のモータ５０を停止させ、第２のモータ５０を停止させ、電磁クラッチ６０を通電または遮断させると、第１の可動役物４０が停止し、第２の可動役物４２が停止し、第３の可動役物４４が停止する動作パターンである。すなわち、動作パターンＡである。次に、２パターン目として、第１のモータ５０を駆動させ、第２のモータ５０を駆動させ、電磁クラッチ６０を通電させると、第１の可動役物４０が左回転し、第２の可動役物４２が左回転し、第３の可動役物４４が左回転する動作パターンである。すなわち、動作パターンＢである。
【００５０】
次に、３パターン目として、第１のモータ５０を駆動させ、第２のモータ５０を駆動させ、電磁クラッチ６０を遮断させると、第１の可動役物４０が左回転し、第２の可動役物４２が左回転し、第３の可動役物４４が停止する動作パターンである。すなわち、動作パターンＣである。次に、４パターン目として、第１のモータ５０を駆動させ、第２のモータ５０を停止させ、電磁クラッチ６０を遮断させると、第１の可動役物４０が左回転し、第２の可動役物４２が停止し、第３の可動役物４４が停止する動作パターンである。すなわち、動作パターンＦである。
【００５１】
次に、５パターン目として、第１のモータ５０を停止させ、第２のモータ５０を駆動させ、電磁クラッチ６０を通電させると、第１の可動役物４０が停止し、第２の可動役物４２が左回転し、第３の可動役物４４が左回転する動作パターンである。すなわち、動作パターンＥである。最後に、６パターン目として、第１のモータ５０を停止させ、第２のモータ５０を駆動させ、電磁クラッチ６０を遮断させると、第１の可動役物４０が停止し、第２の可動役物４２が左回転し、第３の可動役物４４が停止する動作パターンである。すなわち、動作パターンＧである。
【００５２】
本発明の実施例４に係る役物ユニット３２０は、上述したように構成されている。この構成によれば、役物ユニット３２０には、モータ５０の数と電磁クラッチ６０の数の合計が可動役物４０、４２、４４の数となるように、少なくとも１個以上それぞれ備えられている。具体的には、この役物ユニット３２０には、２個のモータ５０と、１個の電磁クラッチ６０と、３個の可動役物４０、４２、４４が備えられている。そのため、可動役物４０、４２、４４が動作可能な動作パターンは６パターンとなっている。したがって、従来技術と比較すると、３個の可動役物４０、４２、４４を設けているにも関わらず、この３個の可動役物４０、４２、４４を可動させるモータ５０の数を３個から２個に減らしても、この３個の可動役物４０、４２、４４の動作パターン８から６に抑えることができる。結果として、動作パターンの減少を２で抑えることができるため、この動作パターンを大きく減らすことがない。
【００５３】
（実施例５）
次に、図１８〜１９を参照して、本発明の実施例５を説明する。この実施例５の役物ユニット４２０も、実施例４の役物ユニット３２０と同様に、モータ５０の数が２であり、電磁クラッチ６０の数が１であり、可動役物（第１の可動役物４０、第２の可動役物４２、第３の可動役物４４）４０、４２、４４の数が３である形態である（図１８参照）。ただし、この実施例５の役物ユニット４２０では、実施例４の役物ユニット３２０と異なり、第２の可動役物４２と第３の可動役物４４とが第１のモータ５０と第２のモータ５０とに対してそれぞれ機械的に連結され、残りの第１の可動役物４０が第１のモータ５０に対して電磁クラッチ６０を介して機械的に連結されている形態である。
【００５４】
この実施例５の場合、図１９に示すように、可動役物４０、４２、４４が動作可能な動作パターンは６パターンとなっている。この６パターンを個別に説明する。まず、１パターン目として、電磁クラッチ６０を通電または遮断させ、第１のモータ５０を停止させ、第２のモータ５０を停止させると、第１の可動役物４０が停止し、第２の可動役物４２が停止し、第３の可動役物４４が停止する動作パターンである。すなわち、動作パターンＡである。次に、２パターン目として、電磁クラッチ６０を通電させ、第１のモータ５０を駆動させ、第２のモータ５０を駆動させると、第１の可動役物４０が左回転し、第２の可動役物４２が左回転し、第３の可動役物４４が左回転する動作パターンである。すなわち、動作パターンＢである。
【００５５】
次に、３パターン目として、電磁クラッチ６０を通電させ、第１のモータ５０を駆動させ、第２のモータ５０を停止させると、第１の可動役物４０が左回転し、第２の可動役物４２が左回転し、第３の可動役物４４が停止する動作パターンである。すなわち、動作パターンＣである。次に、４パターン目として、電磁クラッチ６０を遮断させ、第１のモータ５０を駆動させ、第２のモータ５０を駆動させると、第１の可動役物４０が停止し、第２の可動役物４２が左回転し、第３の可動役物４４が左回転する動作パターンである。すなわち、動作パターンＥである。
【００５６】
次に、５パターン目として、電磁クラッチ６０を遮断させ、第１のモータ５０を駆動させ、第２のモータ５０を停止させると、第１の可動役物４０が停止し、第２の可動役物４２が左回転し、第３の可動役物４４が停止する動作パターンである。すなわち、動作パターンＧである。最後に、６パターン目として、電磁クラッチ６０を遮断させ、第１のモータ５０を停止させ、第２のモータ５０を駆動させると、第１の可動役物４０が停止し、第２の可動役物４２が停止し、第３の可動役物４４が左回転する動作パターンである。すなわち、動作パターンＨである。
【００５７】
本発明の実施例５に係る役物ユニット４２０は、上述したように構成されている。この構成によれば、役物ユニット４２０には、モータ５０の数と電磁クラッチ６０の数の合計が可動役物４０、４２、４４の数となるように、少なくとも１個以上それぞれ備えられている。具体的には、この役物ユニット４２０には、２個のモータ５０と、１個の電磁クラッチ６０と、３個の可動役物４０、４２、４４が備えられている。そのため、可動役物４０、４２、４４が動作可能な動作パターンは６パターンとなっている。したがって、実施例４と同様の作用効果を得ることができる。
【００５８】
（実施例６）
次に、図２０〜２１を参照して、本発明の実施例６を説明する。この実施例６の役物ユニット５２０も、実施例４の役物ユニット３２０と同様に、モータ５０の数が２であり、電磁クラッチ６０の数が１であり、可動役物（第１の可動役物４０、第２の可動役物４２、第３の可動役物４４）４０、４２、４４の数が３である形態である（図２０参照）。ただし、この実施例６の役物ユニット５２０では、実施例４の役物ユニット３２０と異なり、第１の可動役物４０と第３の可動役物４４とが第１のモータ５０と第２のモータ５０とに対してそれぞれ機械的に連結され、残りの第２の可動役物４２が第２のモータ５０に対して電磁クラッチ６０を介して機械的に連結されている形態である。
【００５９】
この実施例６の場合、図２１に示すように、可動役物４０、４２、４４が動作可能な動作パターンは６パターンとなっている。この６パターンを個別に説明する。まず、１パターン目として、第１のモータ５０を停止させ、電磁クラッチ６０を通電または遮断させ、第２のモータ５０を停止させると、第１の可動役物４０が停止し、第２の可動役物４２が停止し、第３の可動役物４４が停止する動作パターンである。すなわち、動作パターンＡである。次に、２パターン目として、第１のモータ５０を駆動させ、電磁クラッチ６０を通電させ、第２のモータ５０を駆動させると、第１の可動役物４０が左回転し、第２の可動役物４２が左回転し、第３の可動役物４４が左回転する動作パターンである。すなわち、動作パターンＢである。
【００６０】
次に、３パターン目として、第１のモータ５０を駆動させ、電磁クラッチ６０を遮断させ、第２のモータ５０を駆動させると、第１の可動役物４０が左回転し、第２の可動役物４２が停止し、第３の可動役物４４が左回転する動作パターンである。すなわち、動作パターンＤである。次に、４パターン目として、第１のモータ５０を駆動させ、電磁クラッチ６０を遮断させ、第２のモータ５０を停止させると、第１の可動役物４０が左回転し、第２の可動役物４２が停止し、第３の可動役物４４が停止する動作パターンである。すなわち、動作パターンＦである。
【００６１】
次に、５パターン目として、第１のモータ５０を停止させ、電磁クラッチ６０を通電させ、第２のモータ５０を駆動させると、第１の可動役物４０が停止し、第２の可動役物４２が左回転し、第３の可動役物４４が左回転する動作パターンである。すなわち、動作パターンＥである。最後に、６パターン目として、第１のモータ５０を停止させ、電磁クラッチ６０を遮断させ、第２のモータ５０を駆動させると、第１の可動役物４０が停止し、第２の可動役物４２が停止し、第３の可動役物４４が左回転する動作パターンである。すなわち、動作パターンＨである。
【００６２】
本発明の実施例６に係る役物ユニット５２０は、上述したように構成されている。この構成によれば、役物ユニット５２０には、モータ５０の数と電磁クラッチ６０の数の合計が可動役物４０、４２、４４の数となるように、少なくとも１個以上それぞれ備えられている。具体的には、この役物ユニット５２０には、２個のモータ５０と、１個の電磁クラッチ６０と、３個の可動役物４０、４２、４４が備えられている。そのため、可動役物４０、４２、４４が動作可能な動作パターンは６パターンとなっている。したがって、実施例４と同様の作用効果を得ることができる。
【００６３】
（実施例７）
最後に、図２２〜２３を参照して、本発明の実施例７を説明する。この実施例７の役物ユニット６２０も、実施例４の役物ユニット３２０と同様に、モータ５０の数が２であり、電磁クラッチ６０の数が１であり、可動役物（第１の可動役物４０、第２の可動役物４２、第３の可動役物４４）４０、４２、４４の数が３である形態である（図２２参照）。ただし、この実施例７の役物ユニット６２０では、実施例４の役物ユニット３２０と異なり、第１の可動役物４０と第３の可動役物４４とが第１のモータ５０と第２のモータ５０とに対してそれぞれ機械的に連結され、残りの第２の可動役物４２が第１のモータ５０に対して電磁クラッチ６０を介して機械的に連結されている形態である。
【００６４】
この実施例７の場合、図２３に示すように、可動役物４０、４２、４４が動作可能な動作パターンは６パターンとなっている。この６パターンを個別に説明する。まず、１パターン目として、第１のモータ５０を停止させ、電磁クラッチ６０を通電または遮断させ、第２のモータ５０を停止させると、第１の可動役物４０が停止し、第２の可動役物４２が停止し、第３の可動役物４４が停止する動作パターンである。すなわち、動作パターンＡである。次に、２パターン目として、第１のモータ５０を駆動させ、電磁クラッチ６０を通電させ、第２のモータ５０を駆動させると、第１の可動役物４０が左回転し、第２の可動役物４２が左回転し、第３の可動役物４４が左回転する動作パターンである。すなわち、動作パターンＢである。
【００６５】
次に、３パターン目として、第１のモータ５０を駆動させ、電磁クラッチ６０を通電させ、第２のモータ５０を停止させると、第１の可動役物４０が左回転し、第２の可動役物４２が左回転し、第３の可動役物４４が停止する動作パターンである。すなわち、動作パターンＣである。次に、４パターン目として、第１のモータ５０を駆動させ、電磁クラッチ６０を遮断させ、第２のモータ５０を駆動させると、第１の可動役物４０が左回転し、第２の可動役物４２が停止し、第３の可動役物４４が左回転する動作パターンである。すなわち、動作パターンＤである。
【００６６】
次に、５パターン目として、第１のモータ５０を駆動させ、電磁クラッチ６０を遮断させ、第２のモータ５０を停止させると、第１の可動役物４０が左回転し、第２の可動役物４２が停止し、第３の可動役物４４が停止する動作パターンである。すなわち、動作パターンＦである。最後に、６パターン目として、第１のモータ５０を停止させ、電磁クラッチ６０を遮断させ、第２のモータ５０を駆動させると、第１の可動役物４０が停止し、第２の可動役物４２が停止し、第３の可動役物４４が左回転する動作パターンである。すなわち、動作パターンＨである。
【００６７】
本発明の実施例７に係る役物ユニット６２０は、上述したように構成されている。この構成によれば、役物ユニット６２０には、モータ５０の数と電磁クラッチ６０の数の合計が可動役物４０、４２、４４の数となるように、少なくとも１個以上それぞれ備えられている。具体的には、この役物ユニット６２０には、２個のモータ５０と、１個の電磁クラッチ６０と、３個の可動役物４０、４２、４４が備えられている。そのため、可動役物４０、４２、４４が動作可能な動作パターンは６パターンとなっている。したがって、実施例４と同様の作用効果を得ることができる。
【００６８】
なお、これら実施例４〜７を組み合わせれば、可動役物４０、４２、４４の動作パターンがＡ〜Ｈの８パターン可能となる。そのため、可動役物４０、４２、４４の動作パターンの数を従来技術のそれと同じにできる。
【００６９】
上述した内容は、あくまでも本発明の一実施の形態に関するものであって、本発明が上記内容に限定されることを意味するものではない。
【００７０】
各実施例では、アクチュエータがモータ５０である形態を説明した。しかし、これに限定されるものでなく、アクチュエータは公知の駆動源であっても構わない。
【００７１】
また、各実施例では、可動役物４０、４２、４４が３個の形態を説明した。しかし、これに限定されるものでなく、可動役物は複数であれば、何個でも構わない。
【００７２】
また、各実施例では、可動役物４０、４２、４４が左回転する形態を説明した。しかし、これに限定されるものでなく、可動役物４０、４２、４４が右回転する形態でも構わない。
【符号の説明】
【００７３】
１      パチンコ機（遊技機）
４ｂ    演出装置
４０    第１の可動役物
４２    第２の可動役物
４４    第３の可動役物
５０    モータ（アクチュエータ）
６０    第１の電磁クラッチ（電磁クラッチ）
７０    第２の電磁クラッチ（電磁クラッチ）
【図１】
2017158682.tif 000003
【図２】
2017158682.tif 000004
【図３】
2017158682.tif 000005
【図４】
2017158682.tif 000006
【図５】
2017158682.tif 000007
【図６】
2017158682.tif 000008
【図７】
2017158682.tif 000009
【図８】
2017158682.tif 000010
【図９】
2017158682.tif 000011
【図１０】
2017158682.tif 000012
【図１１】
2017158682.tif 000013
【図１２】
2017158682.tif 000014
【図１３】
2017158682.tif 000015
【図１４】
2017158682.tif 000016
【図１５】
2017158682.tif 000017
【図１６】
2017158682.tif 000018
【図１７】
2017158682.tif 000019
【図１８】
2017158682.tif 000020
【図１９】
2017158682.tif 000021
【図２０】
2017158682.tif 000022
【図２１】
2017158682.tif 000023
【図２２】
2017158682.tif 000024
【図２３】
2017158682.tif 000025
【図２４】
2017158682.tif 000026
【図２５】
2017158682.tif 000027
【図２６】
2017158682.tif 000028
【図２７】
2017158682.tif 000029